(57)【特許請求の範囲】
【請求項１】
左側オーディオ信号が提供される第１左側スピーカー及び右側オーディオ信号が提供される第１右側スピーカーを有し、前記第１左側スピーカー及び前記第１右側スピーカーが聴取者を中心に左右に対称になるように配置された第１ステレオシステムと、
左側オーディオ信号が提供される第２左側スピーカー及び右側オーディオ信号が提供される第２右側スピーカーを有し、前記第２左側スピーカー及び前記第２右側スピーカーが聴取者を中心に左右に対称になるように配置された第２スピーカーと、を含み、
ここで、前記第１ステレオシステムの前記第１左側スピーカーの右側に前記第２スピーカーの前記第２右側スピーカーが配置され、前記第１ステレオシステムの前記第１右側スピーカーの左側に前記第２スピーカーの前記第２左側スピーカーが配置され、
前記第１ステレオシステムの前記第１左側スピーカーと前記第１右側スピーカーとの間の距離（ｄ）は前記第１ステレオシステムの前記第１左側スピーカーと前記第２スピーカーの前記第２右側スピーカーとの間の距離（ｄ１）及び前記第１ステレオシステムの前記第１右側スピーカーと前記第２スピーカーの前記第２左側スピーカーとの間の距離（ｄ２）の各々の２倍以上であることを特徴とする、交差配置を通じた音像定位改善システム。
【請求項２】
前記第１ステレオシステムの前記第１左・右側スピーカーは、前記第２スピーカーの前記第２左・右側スピーカーより出力が大きいか等しいことを特徴とする、請求項１に記載の交差配置を通じた音像定位改善システム。
【請求項３】
前記第１ステレオシステムの前記第１左・右側スピーカーは、前記第２スピーカーの前記第２左・右側スピーカーと音響学的特性が同一であることを特徴とする、請求項１に記載の交差配置を通じた音像定位改善システム。
【請求項４】
前記第２スピーカーの前記第２左側スピーカーと前記第２右側スピーカーとは音響学的特性が同一であることを特徴とする、請求項１に記載の交差配置を通じた音像定位改善システム。
【請求項５】
左側オーディオ信号が提供される第１左側スピーカー及び右側オーディオ信号が提供される第１右側スピーカーを有し、前記第１左側スピーカー及び前記第１右側スピーカーが聴取者を中心に左右に対称になるようにｄだけの距離を置いて配置された第１ステレオシステムと、
左側オーディオ信号が提供される第２左側スピーカー及び右側オーディオ信号が提供される第２右側スピーカーを有し、前記第２左側スピーカー及び前記第２右側スピーカーが聴取者を中心に左右に対称になるように配置された第２スピーカーと、を含み、
ここで、前記第１ステレオシステムの前記第１左側スピーカーの隣りにｄ１だけの距離を置いて前記第２スピーカーの前記第２右側スピーカーが配置され、前記第１ステレオシステムの前記第１右側スピーカーの隣りにｄ２だけの距離を置いて前記第２スピーカーの前記第２左側スピーカーが配置され、
前記第１ステレオシステムの前記第１左側スピーカーと前記第１右側スピーカーとの間の距離（ｄ）は前記第１ステレオシステムの前記第１左側スピーカーと前記第２スピーカーの前記第２右側スピーカーとの間の距離（ｄ１）及び前記第１ステレオシステムの前記第１右側スピーカーと前記第２スピーカーの前記第２左側スピーカーとの間の距離（ｄ２）の各々の２倍以上であることを特徴とする、交差配置を通じた音像定位改善システム。
【請求項６】
前記第１ステレオシステムの前記第１左・右側スピーカーは、前記第２スピーカーの前記第２左・右側スピーカーより出力が大きいか等しいこと特徴とする、請求項５に記載の交差配置を通じた音像定位改善システム。
【請求項７】
前記第１ステレオシステムの前記第１左・右側スピーカーは、前記第２スピーカーの前記第２左・右側スピーカーと音響学的特性が同一であることを特徴とする、請求項５に記載の交差配置を通じた音像定位改善システム。
【請求項８】
前記第２スピーカーの前記第２左側スピーカーと前記第２右側スピーカーとは音響学的特性が同一であること特徴とする、請求項５に記載の交差配置を通じた音像定位改善システム。
【請求項９】
左側オーディオ信号が提供される第１左側スピーカー及び右側オーディオ信号が提供される第１右側スピーカーを有し、前記第１左側スピーカー及び前記第１右側スピーカーが聴取者を中心に左右に対称になるようにｄだけの距離を置いて配置された第１ステレオシステムの音像定位改善方法であって、
前記第１ステレオシステムの前記第１左側スピーカーの隣りにｄ１だけの距離を置いて右側オーディオ信号が提供される第２右側スピーカーを配置し、
前記第１ステレオシステムの前記第１右側スピーカーの隣りにｄ２だけの距離を置いて左側オーディオ信号が提供される第２左側スピーカーを配置し、かつ、
前記第１ステレオシステムの前記第１左側スピーカーと前記第１右側スピーカーとの間の距離（ｄ）は前記第１ステレオシステムの前記第１左側スピーカーと前記第２スピーカーの前記第２右側スピーカーとの間の距離（ｄ１）及び前記第１ステレオシステムの前記第１右側スピーカーと前記第２スピーカーの前記第２左側スピーカーとの間の距離（ｄ２）の各々の２倍以上になるように配置することを特徴とする、音像定位改善方法。
【請求項１０】
前記第２右側スピーカー及び前記第２左側スピーカーを結ぶ仮想の直線を仮定した時、前記第２右側スピーカー及び前記第２左側スピーカーは、各々前記第１左側スピーカーと前記第１右側スピーカーとの間の内側に配置されることを特徴とする、請求項９に記載の音像定位改善方法。
【請求項１１】
前記第２右側スピーカー及び前記第２左側スピーカーを結ぶ仮想の直線を仮定した時、前記第２右側スピーカー及び前記第２左側スピーカーは各々前記第１左側スピーカーと前記第１右側スピーカーの外側に配置されることを特徴とする、請求項９に記載の音像定位改善方法。
【請求項１２】
前記第２右側スピーカー及び前記第２左側スピーカーは、各々前記第１左側スピーカーと前記第１右側スピーカーの上側に配置されることを特徴とする、請求項９に記載の音像定位改善方法。
【請求項１３】
前記第２左側スピーカー及び前記第２右側スピーカーの出力を調節することにより音像定位を改善することを特徴とする、請求項９に記載の音像定位改善方法。
【発明の詳細な説明】
【技術分野】
【０００１】
本発明は交差配置を通じた音像定位改善システムに関し、より詳しくは、第１左側スピーカーと第１右側スピーカーとからなる第１ステレオシステムに第２左側スピーカーと第２右側スピーカーとからなる第２スピーカーが交差配置される音像定位改善システムに関する。
【背景技術】
【０００２】
音響学で、音像定位とは、人間が感じる特定音源の位置を仮想の位置に定位させる立体音響技術をいう。具体的に、２チャンネルのステレオシステムの音源の位置は２つであるが、人間が認識する音源の位置はスピーカーの位置でない、その中間のどこに位置することと認知する。通常的に、このような現象を音像といい、音像をはっきりと認知できる時、音像定位が良いと表現する。
【０００３】
一方、立体音響技術は、録音機術と再生機術の２つに分類可能であり、そのうち、再生機術のオーディオシステムはチャンネルを基準に大別して１．０チャンネルであるモノ（ｍｏｎｏ）システム、２．０チャンネルであるステレオ（Ｓｔｅｒｅｏ）システム、及び２．１チャンネル以上であるサラウンド（Ｓｕｒｒｏｕｎｄ）システムの３つに分類可能である。
【０００４】
この際、図１に示すように、上記モノシステムを除外した全てのオーディオシステムは左・右という方向性が存在する。即ち、左・右側スピーカーは同一な反射環境で対称するように左右に配置され、聴取者と２つのスピーカーの間の各々の距離と同一な時を想定して音源の製作者が意図した音像定位が具現されるものである。
【０００５】
この際、上記音源とは、現実の声が録音、編集され、それが再生機とアンプを通じてスピーカーに到達する電気的信号を意味する。
【０００６】
しかしながら、図３に示すように、実際条件では、左・右側スピーカー周囲の反射環境が同一であり、視聴者と２つのスピーカーの間の各々の距離も正確に同一であることは不可能に近い。したがって、正確な音像定位を具現することが困難になる。
【０００７】
ここに、５．１チャンネル、７．１チャンネルなどのサラウンドシステムを形成して、スピーカーの数を増やし、スピーカーを聴取者の周囲に立体的に配置することによって、臨場感を具現しようとするが、これは正確な意味の音像定位の具現といえないものであり、むしろスピーカーの数が多くなるほど音像定位を良く具現することは困難である。
【発明の概要】
【発明が解決しようとする課題】
【０００８】
本発明は、上記したような問題点を解決するために案出したものであって、実際の条件でも反射環境に関わらず音像定位を具現することができ、既存に設置されたスピーカー自体やその位置を変える必要無しで音像定位を改善することができ、ステレオシステムは勿論、左・右側に分離されたスピーカー運用を基盤とする２．１チャンネル以上のサラウンドシステムにも適用可能な交差配置を通じた音像定位改善システムを提供することをその目的とする。
【０００９】
本発明の他の目的は、実際の条件でも反射環境に関わらず音像定位を具現することができ、既存に設置されたスピーカー自体やその位置を変える必要無しで音像定位を改善することができる音像定位改善方法を提供することにある。
【課題を解決するための手段】
【００１０】
本発明は、第１左側スピーカー１１と第１右側スピーカー１２とからなる第１ステレオシステム１０に第２左側スピーカー２１と第２右側スピーカー２２とからなる第２スピーカー２０が聴取者に向かうように配置され、かつ上記第１左側スピーカー１１の右側に第２右側スピーカー２２が備えられ、上記第１右側スピーカー１２の左側に第２左側スピーカー２１が備えられ、かつ上記第１ステレオシステム１０の第１左側スピーカー１１と第１右側スピーカー１２との間の距離（ｄ）は第１左側スピーカー１１と第２右側スピーカー２２との間の距離（ｄ１）及び第１右側スピーカー１２と第２左側スピーカー２１との間の距離（ｄ２）の各々の２倍以上であることを特徴とする。
【００１１】
また、上記第１ステレオシステム１０の第１左・右側スピーカー１１、１２は、第２スピーカー２０の第２左・右側スピーカー２１、２２より出力が大きいか等しいことがある。
【００１２】
また、上記第１ステレオシステム１０の第１左・右側スピーカー１１、１２は、上記第２スピーカー２０の第２左・右側スピーカー２１、２２と音響学的特性が同一でありうる。
【００１３】
また、上記第２スピーカー２０の第２左側スピーカー２１と第２右側スピーカー２２とは音響学的特性が同一でありうる。
【００１４】
上記の他の目的を達成するための本発明に従う音像定位改善方法は、左側オーディオ信号が提供される第１左側スピーカー及び右側オーディオ信号が提供される第１右側スピーカーを有し、上記第１左側スピーカー及び上記第１右側スピーカーが聴取者を中心に左右に対称になるようにｄだけの距離を置いて配置された第１ステレオシステムの音像定位改善方法において、上記第１ステレオシステムの上記第１左側スピーカーの隣りにｄ１だけの距離を置いて右側オーディオ信号が提供される第２右側スピーカーを配置し、上記第１ステレオシステムの上記第１右側スピーカーの隣りにｄ２だけの距離を置いて左側オーディオ信号が提供される第２左側スピーカーを配置し、かつ上記第１ステレオシステムの上記第１左側スピーカーと上記第１右側スピーカーとの間の距離（ｄ）は上記第１ステレオシステムの上記第１左側スピーカーと上記第２スピーカーの上記第２右側スピーカーとの間の距離（ｄ１）及び上記第１ステレオシステムの上記第１右側スピーカーと上記第２スピーカーの上記第２左側スピーカーとの間の距離（ｄ２）の各々の２倍以上になるように配置することを特徴とする。
【発明の効果】
【００１５】
以上、説明したように、本発明に従う交差配置を通じた音像定位改善システム及び方法によれば、以上の条件は勿論、実際の条件でも左・右側の反射環境に関わらず音像定位を具現することができる効果がある。
【００１６】
また、既存に設置されたスピーカー自体を取替したり、その配置を変更したりする必要無しでスピーカーを交差配置して音像定位を改善することができる。
【００１７】
また、２．０チャンネルのステレオシステムは勿論、左・右側に分離されたスピーカー運用を基盤とする２．１チャンネル以上のサラウンドシステムにも適用可能な効果がある。
【００１８】
そして、上記スピーカーは再生可能なヘッドホン、イヤホン、及び自動車の音響システムを含むものであって、上記領域にも本発明に従う交差配置を通じた音像定位を具現することができる効果がある。
【図面の簡単な説明】
【００１９】
【図１】従来の立体音響技術オーディオシステムの概略図である。
【図２】実際環境及びステレオシステムによる音の概念図である。
【図３】理想条件及び実際条件のステレオシステムによる音源の概念図である。
【図４】本発明に従う交差配置を通じた音像定位改善システムの概略図である。
【図５ａ】本発明に従う交差配置を通じた音像定位改善システムの概念図である。
【図５ｂ】本発明に従う交差配置を通じた音像定位改善システムの概念図である。
【図６ａ】本発明に従う交差配置を通じた音像定位改善システムを５．１チャンネル及び７．１チャンネルサラウンドシステムに具現した概略図である。
【図６ｂ】本発明に従う交差配置を通じた音像定位改善システムを５．１チャンネル及び７．１チャンネルサラウンドシステムに具現した概略図である。
【図７】本発明に従う交差配置を通じた音像定位改善システムの他の実施形態である。
【図８】本発明に従う交差配置を通じた音像定位改善システムの他の実施形態である。
【発明を実施するための形態】
【００２０】
本発明に対して添付した図面を参照して説明すれば、次の通りである。
【００２１】
図１に示すように、立体音響再生機術のオーディオシステムは、チャンネルを基準に大別して１．０チャンネルであるモノ（ｍｏｎｏ）システム、２．０チャンネルであるステレオ（Ｓｔｅｒｅｏ）システム、及び２．１チャンネル以上であるサラウンド（Ｓｕｒｒｏｕｎｄ）システムの３つに分類可能である。
【００２２】
本発明は２．０チャンネルであるステレオシステムは勿論、左・右側に分離されたスピーカー運用を基盤とする２．１チャンネル以上のサラウンドシステムにも適用可能であり、また、フロントスピーカー（ｆｒｏｎｔ  ｓｐｅａｋｅｒ）及びリアスピーカー（ｒｅａｒ  ｓｐｅａｋｅｒ）でも適用可能であるが、説明の便宜のために２．０チャンネルのステレオシステムを基盤として説明する。
【００２３】
一方、本発明はＩＴＵ−Ｒ（国際電気通信連合無線通信部門、Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏ  ｃｏｍｍｕｎｉｃａｔｉｏｎｓ  Ｓｅｃｔｏｒ）の勧告（ＩＴＵ−ＲＢＳ．１１１６．１）に従ってステレオシステムを構成する左・右側スピーカーは音響学的特性が同一であり、再生環境が対称をなすことと定義する。即ち、一対のスピーカーが左・右に正確に対称をなすことと定義する。
【００２４】
この際、左・右側スピーカーは、ステレオシステムの音源において、各々左側と右側の音源を再生するスピーカーを称するものである。
【００２５】
また、上記音響学的特性とは、出力（音圧レベル）（ｄＢ）、インピーダンス（Ω）、及び再生周波数帯域（Ｈｚ）を意味することと定義する。
【００２６】
図２は、実際環境及びステレオシステムによる音の概念図を図示したものである。即ち、実際環境で如何なる音源が存在する時、人体の耳は顔を中心に両側の音を全て聞いている。しかしながら、顔が妨害要因となって右側耳と左側耳は各方向の音をより大いに聞くようになる。
【００２７】
一方、ステレオシステムの左・右側スピーカーは、上記実際環境の状況を用いて人体の耳が錯覚を起こすように左・右の音を一定の割合で混ぜて送り出す。
【００２８】
この際、図３の左側に示すように、左・右側スピーカーが同一な反射環境で対称するように左右に配置され、聴取者と２つのスピーカーの間の各々の距離が同じ時である理想条件下のステレオシステムにおいて、人体の耳を支配する脳は左・右側スピーカーの間の空間を音源と認知する。脳の錯覚により起こる音源がはっきりと  認識されれば認識されるほど音像定位が良いと称する。
【００２９】
一方、図３の右側に図示された実際条件下のステレオシステムは、左・右側スピーカーの周囲の反射環境が同一でないので、一方の音圧が他方より高まる。したがって、人体の耳に聞こえる音は片方で録音された音に偏重せざるをえないし、この場合、脳は偏重した側を音源と認識するようになり、これで、音像定位は急激に落ちるようになる。
【００３０】
本発明の交差配置を通じた音像定位改善システムは、上記した問題点を解決するために、図４に示すように、第１左側スピーカー１１と第１右側スピーカー１２とからなる第１ステレオシステム１０に第２左側スピーカー２１と第２右側スピーカー２２とからなる第２スピーカー２０が配置され、かつ上記第１左側スピーカー１１の右側に第２右側スピーカー２２が備えられ、上記第１右側スピーカー１２の左側に第２左側スピーカー２１が備えられるようにする。
【００３１】
人間の脳は先に聞こえてきた音の方向に音源が存在することと認知し、また同一な音が同時に他の方向から聞こえてきた時は大きい音を優先的に認知する。また、いろいろな経路の音が同一な方向から聞こえてきた時は大きい音を優先的に認知する。本発明に従う交差配置により音像定位改善システムは、このような基本原理に基づいて用いるものである。
【００３２】
この際、上記第１ステレオシステム１０の上記第１左・右側スピーカーは音響学的特性が同一であることを前提とする。
【００３３】
また、上記第２スピーカー２０は、既存に設置された第１ステレオシステム１０に追加的に配置できることは勿論、最初の設計時から反映されることもできる。
【００３４】
以下、反射環境に関わらず音像定位を具現することができる根拠を提示する。
【００３５】
再生音像定位の評価式
ＳＰ＝ＳＯ−（ＥＬＰＬ−ＥＲＰＲ）２
（  ＳＰ：再生時の音像定位、ＳＯ：第１ステレオシステムの音源が有する音像定位、ＥＬ、ＥＲ：第１ステレオシステムの第１左・右側スピーカー周囲の反射環境変数、ＰＬ、ＰＲ：第１ステレオシステムの第１左・右側スピーカーの音響学的特性）
この際、理想的な環境でステレオ再生時の音像定位は、
ＥＬ＝ＥＲ、ＰＬ＝ＰＲであるところ、
ＳＰ＝ＳＯ
【００３６】
交差配置時、音像定位の評価式
（左側）ＳＬ＝ＳＯ−（ＥＬＰＬ−ＥＬＰＣＲ）２
＝ＳＯ−Ｅ２Ｌ（ＰＬ−ＰＣＲ）２
交差配置時、左側音像定位において、スピーカーの特性は
【００３７】
【数１】
0005622015.tif 000002
（右側）
【００３８】
【数２】
0005622015.tif 000003
交差配置時、右側音像定位において、スピーカーの特性は、
【００３９】
【数３】
0005622015.tif 000004
（ＳＣＰ：交差配置時の音像定位、ＳＬ、ＳＲ：交差配置時の左・右側の音像定位、ＰＬ、ＰＲ：第１ステレオシステムの第１左・右側スピーカーの音響学的特性、ＰＣＬ、ＰＣＲ：第２スピーカーの第２左・右側スピーカーの音響学的特性）
【００４０】
上記の数式を通じて交差配置による音像定位改善システムは音像定位評価において、ＥＬ、ＥＲ（反射環境変数）が相殺され、交差配置によるＳＬ、ＳＲ（左・右側の音像定位）とＳＯ（第１ステレオシステムの音源が有する音像定位）のみが変数として存在するようになることが分かる。
【００４１】
一方、上記の数式を参照すると、（ＰＬ−ＰＣＬ）及び（ＰＣＬ−ＰＲ）が０に近づくほど音像定位ＳＣＰが大きくなることが分かる。これは、本発明に従う音像定位改善システムにおいて、音像定位に対する影響力は交差配置されるスピーカーの音響学的特性により決定されることを意味する。ここで、スピーカーの音響学的特性は出力を含むものであるので、交差配置されるスピーカーの出力を調節することにより音像定位を具現できることが分かる。
【００４２】
これで、理想条件は勿論、実際条件でも左・右側の反射環境に関わらず音像定位を具現することができ、既存にステレオシステムに設置されたスピーカー自体を取替したりその配置を変更したりする必要無しで追加的にスピーカーを交差配置して音像定位を改善することができる。
【００４３】
具体的に、交差配置による音像定位改善効果は、環境的な要因が再生される音像定位に及ぼす影響を最大限除去することによりなされる。交差配置を導入することにより生成される左右２つのステレオシステムを通じて、一次的に反射環境変数の影響を十分に受けた左右の音像定位が表れて、それが既存のステレオシステムの音源を取り替えることによって反射環境変数を除去する。そのようにして、現実的な再生環境において起きることができる反射環境変数による音像定位の損失を除去する。
【００４４】
参考的に、ＩＴＵ−Ｒ（国際電気通信連合無線通信部門、Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏ  ｃｏｍｍｕｎｉｃａｔｉｏｎｓ  Ｓｅｃｔｏｒ）の勧告（ＩＴＵ−ＲＢＳ．１１１６．１）によれば、ステレオシステムの理想的な聴取ポイントは左右スピーカーを結ぶ直線を一辺とする正三角形の反対側頂点である。
【００４５】
したがって、本発明によれば、図５ａに示すように、第１ステレオシステム１０により視聴ポイント（Ｐ）が発生するだけでなく、第１左・右側スピーカー１１、１２と第２左・右側スピーカー２１、２２により左・右側にも各々視聴ポイント（ｐ１、ｐ２）が各々発生するようになる。
【００４６】
一方、第２スピーカー２０による視聴ポイントは発生しないが、その理由は音源が左・右反対に流れるためである。この状態を逆像という。
【００４７】
ここで、上記第１ステレオシステム１０の第１左・右側スピーカー１１、１２は、第２スピーカー２０の第２左・右側スピーカー２１、２２より出力が大きいか等しいことが好ましい。
【００４８】
一方、本発明は上記第１ステレオシステム１０を主の音源と見て、上記第２スピーカー２０を従の音源として想定したものである。仮に、上記第１ステレオシステム１０と第２スピーカー２０の主従関係が変われば、逆像が発生するためである。
【００４９】
このような主従関係のために、次の条件が求められる。
１）交差配置されるスピーカーの出力は正常配置されるスピーカーの出力より小さいか等しい。
２）交差配置による音像に対する影響力は交差配置されるスピーカーの出力に比例する。但し、交差配置されるスピーカーの出力は正常配置されるスピーカーの出力より大きくてはならない。
３）交差配置されるスピーカーにおいて、左右スピーカーの出力が同一であることが好ましい。
【００５０】
また、上記第１ステレオシステム１０の第１左・右側スピーカー１１、１２は、上記第２スピーカー２０の第２左・右側スピーカー２１、２２と音響学的特性が同一であることが好ましい。
【００５１】
これは、上記の＜数式２＞において、
ＳＣＰ＝ＳＯ−｛ＥＬ（ＰＬ−ＰＣＲ）−ＥＲ（ＰＣＬ−ＰＲ）｝２
であるところ、
ＳＣＰ＝ＳＯ
の関係が成立するためである。
【００５２】
一方、上記第２スピーカー２０の第２左側スピーカー２１と第２右側スピーカー２２は音響学的特性が同一でありうる。但し、上記＜数式２＞に示すように、これはＰＣＬ、ＰＣＲ（音響学的特性）が同一であることが常に良いものではなく、ＥＬ、ＥＲ（反射環境変数）により柔軟に調節することが好ましい。
【００５３】
したがって、上記反射環境変数が対等であれば、上記第２スピーカー２０の第２左側スピーカー２１と第２右側スピーカー２２とは音響学的特性が同一であることが好ましい。
【００５４】
また、上記第１ステレオシステム１０の第１左側スピーカー１１と第１右側スピーカー１２との間の距離（ｄ）は、第１左側スピーカー１１と第２右側スピーカー２２との間の距離（ｄ１）及び第１右側スピーカー１２と第２左側スピーカー２１との間の距離（ｄ２）より非常に大きくなければならず（ｄ＞＞ｄ１、ｄ２）、各々の２倍以上のものが好ましい。
【００５５】
上記＜数式２＞の‘左側’を基準として説明すれば、この式はＰＬ、ＰＣＲのＥＬ（反射環境変数）が同一であるという前提下で始まるものであって、上記第１左側スピーカー１１と第１右側スピーカー１２との間の距離（ｄ）が第１左側スピーカー１１と第２右側スピーカー２２との間の距離（ｄ１）の２倍以下になれば、むしろ、ＰＣＲはＥＲに近づくためである。
【００５６】
図６ａ及び図７では、本発明に従う交差配置を通じた音像定位改善システムを５．１チャンネル及び７．１チャンネルサラウンドシステムに具現した概略図を図示したものであって、フロントスピーカーだけでなく、リアスピーカーにも適用されたものを図示する。
【００５７】
一方、図５及び図６では、第２ステレオシステムの左右側スピーカーが第１ステレオシステムの左右側スピーカーの間に、即ち第１ステレオシステムの第１左側スピーカーと第１右側スピーカーとを結ぶ直線を仮定する時、第１ステレオシステムの第１左側スピーカーと第１右側スピーカーとを結ぶ直線の上で第１ステレオシステムの第１左側スピーカーと第１右側スピーカーの内側に位置することを図示しているが、  必ずそれに限定されるものではない。
【００５８】
図７は、第２ステレオシステムの左右側スピーカーが第１ステレオシステムの左右側スピーカーの外側に位置するものを図示している。
【００５９】
図８は、第２ステレオシステムの左右側スピーカーが第１ステレオシステムの左右側スピーカーの上側に位置するものを図示している。
【００６０】
図５から図８に図示された実施形態において重要なものは、第１ステレオシステム１０の第１左側スピーカー１１と第１右側スピーカー１２との間の距離（ｄ）は第１左側スピーカー１１と第２右側スピーカー２２との間の距離（ｄ１）及び第１右側スピーカー１２と第２左側スピーカー２１との間の距離（ｄ２）より非常に大きくなければならず（ｄ＞＞ｄ１、ｄ２）、各々の２倍以上のものが好ましい。
【００６１】
一方、前述したように、本発明は２．０チャンネルのステレオシステムは勿論、左・右側に分離されたスピーカー運用を基盤とする２．１チャンネル以上のサラウンドシステムにも適用可能である。
【００６２】
それだけでなく、上記スピーカーは再生可能なヘッドホン、イヤホン、及び自動車の音響システムを含むものであって、上記領域にも本発明に従う交差配置を通じた音像定位を具現することができる効果がある。
【００６３】
本発明の単純な変形及び変更は、この分野の通常の知識を有する者により容易に実施されることができ、このような変形や変更は全て本発明の領域に含まれると見ることができる。
【符号の説明】
【００６４】
１０    第１ステレオシステム
１１    第１左側スピーカー
１２    第１右側スピーカー
２０    第２スピーカー
２１    第２左側スピーカー
２２    第２右側スピーカー
【図１】
0005622015.tif 000005
【図２】
0005622015.tif 000006
【図３】
0005622015.tif 000007
【図４】
0005622015.tif 000008
【図５ａ】
0005622015.tif 000009
【図５ｂ】
0005622015.tif 000010
【図６ａ】
0005622015.tif 000011
【図６ｂ】
0005622015.tif 000012
【図７】
0005622015.tif 000013
【図８】
0005622015.tif 000014